(57)【要約】【課題】冗長型ＰＯＮの伝送路遅延時間測定を短時間で行う。【解決手段】チェッカー２０３は、信号発生器２０２がレンジング信号Ｓｒを生成したときの時刻をタイマー２０１から読み出して記憶する。レンジング信号Ｓｒは、光スプリッタ１３０を介してＯＮＵ１２０−１に受信され、そのまま返送される。光スプリッタ１３０は、レンジング信号ＳｒをＰＯＮインタフェース１１１，１１２の両方に送信する。ＰＯＮインタフェース１１１は、光／電気変換器１１１ｂで受信したレンジング信号Ｓｒをチェッカー２０３に送る。ＰＯＮインタフェース１１２は、光／電気変換器１１２ｂで受信したレンジング信号Ｓｒをチェッカー２０３に送る。チェッカー２０３は、これらレンジング信号の受信時刻を、タイマー２０１から個別に読み出す。現用系／予備系の伝送路遅延時間を同時に測定できるので、測定時間が短縮される。【選択図】図３
2009232008.tif 000002
【特許請求の範囲】
【請求項１】
第１および第２光アクセスインタフェースを有する冗長型局装置と、冗長型光伝送路を介して該第１および第２光アクセスインタフェースに接続された１個の光スプリッタと、対応する光伝送路を介して該光スプリッタに接続された複数の加入者終端装置とを有する光アクセスネットワークシステムであって、
レンジング信号を前記光スプリッタに送信するために前記第１光アクセスインタフェースに設けられた第１光送信器と、
前記レンジング信号を前記光スプリッタから受信するために前記加入者終端装置に設けられた第１光受信器と、
該第１光受信器に受信された前記レンジング信号を前記光スプリッタに返送するために前記加入者終端装置に設けられた第２光送信器と、
該加入者終端装置から前記光スプリッタに返送された前記レンジング信号を、前記冗長型光伝送路の一方を介して受信するために、前記第１光アクセスインタフェースに設けられた第２光受信器と、
前記加入者終端装置から前記光スプリッタに返送された前記レンジング信号を、前記冗長型光伝送路の他方を介して受信するために、前記第２光アクセスインタフェースに設けられた第３光受信器と、
前記レンジング信号を生成して前記第１光送信器に送信するとともに該生成の時刻を記憶する処理と、該レンジング信号を前記第２光受信器および前記第３光受信器の両方からそれぞれ受信して該受信の時刻を記憶する処理とを行う処理部と、
を備えることを特徴とする光アクセスネットワークシステム。
【請求項２】
前記処理部が、
時刻を計時するタイマーと、
前記レンジング信号を生成して前記第１光送信器に送信する信号発生器と、
該信号発生器が前記レンジング信号を送信したときの時刻を前記タイマーから読み取って記憶する処理と、該レンジング信号を前記第２光受信器および前記第３光受信器から受信し、該受信の時刻を前記タイマーから読み取って記憶する処理とを行うチェッカーと、
を備えることを特徴とする請求項１に記載の光アクセスネットワークシステム。
【請求項３】
第１および第２光アクセスインタフェースを有する冗長型局装置と、冗長型光伝送路を介して該第１および第２光アクセスインタフェースに接続された１個の光スプリッタと、対応する光伝送路を介して該光スプリッタに接続された複数の加入者終端装置とを有する光アクセスネットワークシステムの伝送路遅延測定方法であって、
処理部が、レンジング信号を生成し、該生成の時刻を記憶して、該レンジング信号を前記第１光アクセスインタフェースの第１光送信器に送信させる第１ステップと、
前記光スプリッタを介して前記加入者終端装置に到達した前記レンジング信号を第１光受信器が受信し、さらに該レンジング信号を第２光送信器が前記光スプリッタに返送する第２ステップと、
前記第１光アクセスインタフェースの第２光受信器が、前記加入者終端装置から前記光スプリッタに返送された前記レンジング信号を、前記冗長型光伝送路の一方を介して受信する第３ステップと、
前記第２光アクセスインタフェースの第３光受信器が、前記加入者終端装置から前記光スプリッタに返送された前記レンジング信号を、前記冗長型光伝送路の他方を介して受信する第４ステップと、
前記処理部が、前記第２および第３光受信器から前記レンジング信号をそれぞれ受信するとともに、該受信の時刻を個別に記憶する第５ステップと、
前記生成の時刻および前記受信の時刻を用いて、前記第１および第２光アクセスインタフェースに対応する伝送路遅延時間を個別に算出する第６ステップと、
を含むことを特徴とする光アクセスネットワークシステムの伝送路遅延測定方法。
【発明の詳細な説明】
【技術分野】
【０００１】
この発明は、冗長化された光アクセスネットワークシステムの伝送路遅延を測定する技術に関する。この発明は、例えば、ＯＬＴ(Optical Line Terminal) と光スプリッタとの間が冗長化されたパッシブ光ネットワーク(PON:Passive Optical Network) に適用することができる。
【背景技術】
【０００２】
加入者通信端末とインターネット等の上位ネットワークとを光通信で接続する技術として、ＦＴＴｘ（Fiber To The Home, Fiber To The Curve, Fiber To The Node, Fiber To The Premises 等）が知られている。また、ＦＴＴｘを実現するための技術として、ＰＯＮが知られている。ＰＯＮとは、複数の加入者端末を局側の１個のインタフェースに収容することによって、安価にＦＴＴｘを実現する技術である。ＰＯＮとしては、ＩＴＵ−Ｔ勧告Ｇ．９８３で標準化されたＡＴＭ−ＰＯＮ方式（Ｂ−ＰＯＮとも称される）、ＩＴＵ−Ｔ勧告Ｇ．９８４で標準化されたＧ−ＰＯＮ方式、ＩＥＥＥ８０２．３ａｈで標準化されたＥｔｈｅｒｎｅｔ(登録商標）−ＰＯＮ方式等が知られている。
【０００３】
図４は、ＰＯＮシステムの基本構成例を示す概念図である。図４のＰＯＮシステムは、１台のＯＬＴ（Optical Line Terminal ：光加入者端局装置）４１０と、複数台のＯＮＵ（Optical Network Unit：光加入者終端装置）４２０−１〜４２０−ｎと、１個の光スプリッタ４３０とを備える。ＯＬＴ４１０とスプリッタ４３０とは、光ファイバ４４１を用いて接続される。また、各ＯＮＵ４２０−１〜４２０−ｎは、対応する光ファイバ４４２−１〜４４２−ｎを用いて、光スプリッタ４３０に接続される。ＯＬＴ４１０は上位ネットワーク４５０（例えばインターネット網）に接続され、また、ＯＮＵ４２０−１〜４２０−ｎは加入者通信端末（パーソナルコンピュータ、電話機等）４６０，４６０，・・・に接続される。このような構成により、加入者通信端末４６０と上位ネットワーク４５０との通信が実現される。
【０００４】
図５は、冗長型ＰＯＮシステムの構成例を示す概念図である。図５の例は、ＩＴＵ−Ｔ勧告Ｇ．９８４．１の図４ｂと同一の構成である（下記非特許文献１参照）。図５のＰＯＮシステムにおいて、ＯＬＴ５１０は、二台のＰＯＮインタフェース５１１，５１２を備えている。これらＰＯＮインタフェース５１１，５１２は、光スプリッタ５３０と、冗長化された光ファイバ５４１，５４２で接続されている。光スプリッタ５３０と各ＯＮＵ５２０−１〜５２０−ｎとは、それぞれ対応する非冗長光ファイバ５１３−１〜５１３−ｎで接続されている。このような構成により、加入者通信端末５６０，５６０，・・・と上位ネットワーク５５０とを接続するアクセスシステムのうち、光スプリッタ５３０、光ファイバ５４１，５４２およびＰＯＮインタフェース５１１，５１２を含む部分を冗長化できる。
【０００５】
以下、ＰＯＮシステムの通信について、図４の非冗長型ＰＯＮシステムを例に採って説明する。
【０００６】
ＰＯＮシステムは、下り通信（すなわち、ＯＬＴ４１０からＯＮＵ４２０−１〜４２０−ｎへの送信）と上り通信（すなわち、ＯＮＵ４２０−１〜４２０−ｎからＯＬＴ４１０への送信）とで、異なる波長を用いる。これにより、下り通信と上り通信とを同時に行うことができる。
【０００７】
下り通信では、各ＯＮＵ４２０−１〜４２０−ｎ宛の信号が、ＯＬＴ４１０内で時分割多重される。多重化された信号は、ＯＬＴ４１０から送信されると、光スプリッタ４３０を介してそのまま各ＯＮＵ４２０−１〜４２０−ｎに到達する。各ＯＮＵ４２０−１〜４２０−ｎは、受信信号から自己宛の信号を抽出し、他の信号を廃棄する。なお、冗長型ＰＯＮシステムの場合（図５参照）には、ＰＯＮインタフェース５１１，５１２の一方（すなわち、現用系のＰＯＮインタフェース）から、信号が送信される。
【０００８】
上り通信では、各ＯＮＵ４２０−１〜４２０−ｎの出力信号が、光スプリッタ４３０で時分割多重化される。このためには、各ＯＮＵ４２０−１〜４２０−ｎの出力信号が光スプリッタ４３０に到達するタイミングを、高精度に調整する必要がある。２台以上のＯＮＵから出力された信号が同時に光スプリッタ４３０に到着すると、該信号どうしが衝突するからである。このため、ＯＬＴ４１０が、ＯＮＵ４２０−１〜４２０−ｎの信号送信タイミングを高精度に制御している。なお、冗長型ＰＯＮシステムの場合（図５参照）には、ＰＯＮインタフェース５１１，５１２の両方に信号が送信され、現用系のＰＯＮインタフェースのみが受信処理を行う。
【０００９】
ここで、光ファイバ４４２−１〜４４２−ｎの距離したがって伝送路遅延時間は、相互に異なる。このため、各ＯＮＵ４２０−１〜４２０−ｎの出力信号が光スプリッタ４３０に到達するタイミングを高精度に制御するためには、該伝送路遅延時間のばらつきを考慮して、これらＯＮＵ４２０−１〜４２０−ｎの信号送信タイミングを制御しなければならない。このためには、光ファイバ４４２−１〜４４２−ｎの伝送路遅延時間を正確に測定する必要がある。従来より、かかる伝送路遅延時間を測定する技術として、レンジング方式が知られている。
【００１０】
図６は、レンジング方式の伝送路遅延時間測定方法を説明するための図であり、（Ａ）はシステム構成の概念図、（Ｂ）はタイミング図である。例えばＰＯＮシステムに新たなＯＮＵを収容したとき、当該ＯＮＵの伝送路遅延時間を測定する必要がある。図６の例では、説明を簡単にするために、２台のＯＮＵ♯１，♯２のみを示している。以下、ＯＮＵ♯１を新設して伝送路遅延時間を測定する場合を例に採って説明する。まず、ＯＬＴが、既設ＯＮＵ♯２の送信動作を停止させる。次に、ＯＬＴは、宛先がＯＮＵ♯１のレンジング信号Ｓｒを出力する。このとき、ＯＬＴは、レンジング信号の送信時刻を測定して記憶する。レンジング信号Ｓｒは、光スプリッタ（図６では示さず）を介して、すべてのＯＮＵ♯１，♯２に到達する。ＯＮＵ♯１は、受信したレンジング信号Ｓｒを直ちに返送する。ＯＮＵ♯２は、受信したレンジング信号Ｓｒを廃棄する。ＯＬＴは、ＯＮＵ♯１から返送されたレンジング信号Ｓｒの受信時刻を測定する。これにより、ＯＬＴがレンジング信号Ｓｒを送信してから受信するまでの時間Ｔｒｅｓを求めることができる。このとき、ＯＮＵ♯１がレンジング信号Ｓｒを受信してから返送するまでの処理時間や、ＯＬＴがレンジング信号Ｓｒを受信してから受信時刻を測定するまでのタイムラグ等を無視できるとすると、ＯＬＴとＯＮＵ♯１との間の伝送路遅延時間Ｔｐｄは、時間Ｔｒｅｓの２分の１である。なお、厳密な測定を行う場合には、例えばＩＴＵ−Ｔ勧告Ｇ．９８３．１の図２５で定義された方法を使用すればよい（下記非特許文献２参照）。その後、ＯＬＴは、既設ＯＮＵ♯２に送信動作を再開させる。
【００１１】
なお、冗長型ＰＯＮシステムの場合（図５参照）は、ＰＯＮインタフェース５１１の遅延時間測定と、ＰＯＮインタフェース５１２の遅延時間測定とを、それぞれ別個に行う。冗長化された光ファイバ５４１，５４２の遅延時間が完全に一致するとは限らないからである。
【非特許文献１】ITU-T(TELECOMMUNICATION STANDARDIZATION SECTOR OF ITU)、‘ITU-T Remommendation G.984.1’、ITU(INTERNATIONAL TELECOMMUNICATION UNION)、２００３年３月、ｐ．９
【非特許文献２】ITU-T、‘ITU-T Remommendation G.983.1’、ITU、２００５年１月、ｐ．７２
【発明の開示】
【発明が解決しようとする課題】
【００１２】
上述のように、ＰＯＮでは、レンジング期間中、既設ＯＮＵの上り通信が禁止される。このことは、上述のＩＴＵ−Ｔ勧告Ｇ．９８３、Ｇ．９８４や、ＩＥＥＥ８０２．３ａｈでも、規定されている。これは、レンジング信号Ｓｒと既設ＯＮＵの送信信号との衝突を防止するためである。ＯＮＵの上り通信を一時的に停止させる方法としては、ＯＮＵの上り通信処理自体を停止させる方法と、ＯＮＵに出力バッファを設けて送信処理のみを停止させる方法とがある。
【００１３】
図７は、ＯＮＵに出力バッファを設ける方法を概念的に示している。図７の例では、ＯＮＵの出力段にバッファ７０１を設けて、送信信号を蓄積する。バッファ７０１は、図示しない読出制御回路の制御に基づいて、蓄積信号を出力する。電気／光変換器７０２は、バッファ７０１から出力された電気信号を光信号に変換して、出力する。
【００１４】
図８において、（Ａ）はＯＮＵの上り通信処理自体を停止させる方法を示すタイミング図であり、また、（Ｂ）は出力バッファを設けて送信処理のみを停止させる方法を示すタイミング図である。
【００１５】
図８（Ａ）に示したように、通信処理を停止する場合には、伝送路遅延時間を測定している期間の分だけ通信情報が欠落することになる。したがって、伝送路遅延時間を測定している間、加入者へのサービスを停止する必要がある。
【００１６】
これに対して、図８（Ｂ）に示したように、出力バッファを設ける場合には、バッファリングにより通信タイミングは遅れるものの、レンジング期間中に蓄積した情報をレンジング終了後にまとめて送信することができるので、欠落は生じない。したがって、加入者へのサービスを停止せずに送信停止を行うことができる。しかしながら、出力バッファを設ける方法には、ＯＮＵのコストが上昇するという欠点がある。
【００１７】
上述のように、従来、冗長型ＰＯＮシステム（図５参照）の伝送路遅延時間を測定する場合には、ＰＯＮインタフェース５１１の遅延時間測定と、ＰＯＮインタフェース５１２の遅延時間測定とを、別個独立に行っていた。このため、伝送路遅延時間を測定する回数が２回になるので、図８（Ａ）および（Ｂ）を用いて説明したような欠点は、非冗長型ＰＯＮシステム（図４参照）の場合よりもさらに顕著となる。
【００１８】
すなわち、通信処理を停止する場合（図８（Ａ）参照）、冗長型ＰＯＮシステムでは、サービス停止時間が非冗長型ＰＯＮシステムの二倍になってしまう。
【００１９】
また、出力バッファを使用する場合（図７および図８（Ｂ）参照）、冗長型ＰＯＮシステムでは、必要なバッファ容量が二倍になるので、ＯＮＵのコスト上昇はさらに顕著となる。
【００２０】
この発明の課題は、冗長型光アクセスネットワークシステムの伝送路遅延時間測定を、短時間で行う技術を提供することにある。
【課題を解決するための手段】
【００２１】
（１）第１の発明は、第１および第２光アクセスインタフェースを有する冗長型局装置と、冗長型光伝送路を介して第１および第２光アクセスインタフェースに接続された１個の光スプリッタと、対応する光伝送路を介して光スプリッタに接続された複数の加入者終端装置とを有する光アクセスネットワークシステムに関する。
【００２２】
そして、レンジング信号を光スプリッタに送信するために第１光アクセスインタフェースに設けられた第１光送信器と、レンジング信号を光スプリッタから受信するために加入者終端装置に設けられた第１光受信器と、第１光受信器に受信されたレンジング信号を光スプリッタに返送するために加入者終端装置に設けられた第２光送信器と、加入者終端装置から光スプリッタに返送されたレンジング信号を冗長型光伝送路の一方を介して受信するために第１光アクセスインタフェースに設けられた第２光受信器と、加入者終端装置から光スプリッタに返送されたレンジング信号を冗長型光伝送路の他方を介して受信するために第２光アクセスインタフェースに設けられた第３光受信器と、レンジング信号を生成して第１光送信器に送信するとともに生成の時刻を記憶する処理とレンジング信号を第２光受信器および第３光受信器の両方からそれぞれ受信して受信の時刻を記憶する処理とを行う処理部とを備える。
【００２３】
（２）第２の発明は、第１および第２光アクセスインタフェースを有する冗長型局装置と、冗長型光伝送路を介して第１および第２光アクセスインタフェースに接続された１個の光スプリッタと、対応する光伝送路を介して光スプリッタに接続された複数の加入者終端装置とを有する光アクセスネットワークシステムの伝送路遅延測定方法に関する。
【００２４】
処理部が、レンジング信号を生成し、生成の時刻を記憶して、レンジング信号を第１光アクセスインタフェースの第１光送信器に送信させる第１ステップと、光スプリッタを介して加入者終端装置に到達したレンジング信号を第１光受信器が受信し、さらにレンジング信号を第２光送信器が光スプリッタに返送する第２ステップと、第１光アクセスインタフェースの第２光受信器が、加入者終端装置から光スプリッタに返送されたレンジング信号を、冗長型光伝送路の一方を介して受信する第３ステップと、第２光アクセスインタフェースの第３光受信器が、加入者終端装置から光スプリッタに返送されたレンジング信号を、冗長型光伝送路の他方を介して受信する第４ステップと、処理部が、第２および第３光受信器からレンジング信号をそれぞれ受信するとともに、受信の時刻を個別に記憶する第５ステップと、生成の時刻および受信の時刻を用いて、第１および第２光アクセスインタフェースに対応する伝送路遅延時間を個別に算出する第６ステップとを含む。
【発明の効果】
【００２５】
第１、第２の発明では、加入者終端装置から光スプリッタに返送されたレンジング信号を、冗長型光伝送路の一方を介して第２光受信器が受信しかつ他方を介して第３光受信器が受信する。そして、処理部が、レンジング信号生成時刻および受信時刻をそれぞれ測定する。したがって、第１、第２の発明によれば、第１および第２光アクセスネットワークシステムに係る伝送路遅延時間測定を、１個のレンジング信号を用いて同時に行うことができ、これにより測定時間を短縮できる。
【発明を実施するための最良の形態】
【００２６】
以下、この発明の実施の形態について、図面を用いて説明する。なお、図中、各構成成分の大きさ、形状および配置関係は、この発明が理解できる程度に概略的に示してあるにすぎず、また、以下に説明する数値的条件は単なる例示にすぎない。
【００２７】
図１は、この実施形態に係るＰＯＮシステムの構成を概略的に示す概念図である。
【００２８】
図１に示したように、この実施形態に係る冗長型ＰＯＮシステム１００は、ＯＬＴ１１０と、ＯＮＵ１２０−１〜１２０−ｎと、光スプリッタ１３０と、光ファイバ１４１，１４２，１４３−１〜１４３−ｎとを備えている。
【００２９】
ＯＬＴ１１０は、上位ネットワーク（図１には示さず。図４参照）から受信した信号を光ファイバ１４１，１４２に送信するとともに、光ファイバ１４１，１４２から受信した信号を上位ネットワークに送信する。さらに、ＯＬＴ１１０は、伝送路遅延時間の測定を行う。ＯＬＴ１１０は、二台のＰＯＮインタフェース１１１，１１２と、二台の共通部１１３，１１４を備えている。二台のＰＯＮインタフェース１１１，１１２は、一方が現用系、他方が予備系となる。同様に、二台の共通部１１３，１１４は、一方が現用系、他方が予備系となる。ここでは、ＰＯＮインタフェース１１１および共通部１１３を、現用系とする。このように、ＯＬＴ１１０は、冗長構成を有している。
【００３０】
ＰＯＮインタフェース１１１は、電気／光変換器１１１ａと、光／電気変換器１１１ｂと、セレクタ１１１ｃと、ＰＯＮ処理部１１１ｄとを備えている。電気／光変換器１１１ａは、ＰＯＮ処理部１１１ｄから受信した電気信号を光信号に変換して光ファイバ１４１に送信する、光送信器である。また、光／電気変換器１１１ｂは、光ファイバ１４１から受信した光信号を電気信号に変換してＰＯＮ処理部１１１ｄに送信する、光受信器である。セレクタ１１１ｃは、上位ネットワークから共通部１１３，１１４に受信された信号を選択的にＰＯＮ処理部１１１ｄに送る。ＰＯＮ処理部１１１ｄは、セレクタ１１１ｃから受信した電気信号のフォーマット変換等を行って電気／光変換器１１１ａに送る処理や、光／電気変換器１１１ｂから受信した電気信号のフォーマット逆変換等を行って共通部１１３，１１４に送る処理を行う。さらにＰＯＮ処理部１１１ｄは、伝送路遅延時間測定を行うための機能を備えている。
【００３１】
図２は、ＰＯＮ処理部１１１ｄの伝送路遅延時間測定機能を説明するための機能ブロック図である。図２に示したように、ＰＯＮ処理部１１１ｄは、タイマー２０１と、信号発生器２０２と、チェッカー２０３とを備えている。タイマー２０１としては、例えばクロックカウンタを使用することができる。信号発生器２０２は、レンジング信号を電気的に生成して出力する。チェッカー２０３は、信号発生器２０２にレンジング信号を生成・出力させるとともにそのときのタイマー２０１の時刻を記憶し、さらに、レンジング信号を光／電気変換器１１１ｂから受信するとともにそのときのタイマー２０１の時刻を読み出す。加えて、チェッカー２０３は、光／電気変換器１１２ｂからレンジング信号を受信するとともにそのときのタイマー２０１の時刻を読み出す。これにより、二種類の伝送路遅延時間を並行して測定することができる（後述）。チェッカー２０３は、例えば、信号発生器２０２のレンジング信号出力タイミングおよび光／電気変換器１１１ｂ，１１２ｂからのレンジング信号入力タイミングでそれぞれタイマー２０１の時刻を記憶する、３個のレジスタを用いて構成することができる。
【００３２】
図１において、ＰＯＮインタフェース１１２は、電気／光変換器１１２ａと、光／電気変換器１１２ｂと、セレクタ１１２ｃと、ＰＯＮ処理部１１２ｄとを備えている。電気／光変換器１１２ａは、ＰＯＮ処理部１１２ｄから受信した電気信号を光信号に変換して光ファイバ１４２に送信する、光送信器である。また、光／電気変換器１１２ｂは、光ファイバ１４２から受信した光信号を電気信号に変換してＰＯＮ処理部１１１ｄに送信する、光受信器である。また、上述のように、光／電気変換器１１２ｂは、伝送路遅延時間測定時に、変換後の電気信号をＰＯＮインタフェース１１１のチェッカー２０３に送信する。セレクタ１１２ｃは、上位ネットワークから共通部１１３，１１４に受信された信号を選択的にＰＯＮ処理部１１２ｄに送る。ＰＯＮ処理部１１２ｄは、セレクタ１１２ｃから受信した電気信号のフォーマット変換等を行って電気／光変換器１１２ａに送る処理や、光／電気変換器１１２ｂから受信した電気信号のフォーマット逆変換等を行って共通部１１３，１１４に送る処理を行う。
【００３３】
共通部１１３，１１４は、ＰＯＮインタフェース１１１，１１２から受信した信号を選択的に上位ネットワークに送信する処理等を行う。このために共通部１１３，１１４は、セレクタ１１３ａ，１１４ａを備えている。セレクタ１１３ａ，１１４ａは、ＰＯＮインタフェース１１１，１１２から信号を選択的に受信して、上位ネットワークに送る。
【００３４】
ＯＮＵ１２０−１〜１２０−ｎは、光ファイバ１４３−１〜１４３−ｎから受信した信号を加入者通信端末（図１では示さず。図４参照）に送信するとともに、該加入者通信端末からから受信した信号を光ファイバ１４３−１〜１４３−ｎに送信する。ＯＮＵ１２０−１〜１２０−ｎは、それぞれ、光／電気変換器１２１と、電気／光変換器１２２と、ＰＯＮ処理部１２３を備えている。光／電気変換器１２１は、光ファイバ１４３−１〜１４３−ｎから受信した光信号を電気信号に変換してＰＯＮ処理部１２３に送信する、光受信器である。また、電気／光変換器１２２は、ＰＯＮ処理部１２３から受信した電気信号を光信号に変換して光ファイバ１４３−１〜１４３−ｎに送信する、光送信器である。ＰＯＮ処理部１２３は、光／電気変換器１２１から受信した電気信号のフォーマット変換等を行って加入者通信端末に送る処理や、加入者通信端末から受信した電気信号のフォーマット逆変換等を行って電気／光変換器１２２に送る処理等を行う。
【００３５】
光スプリッタ１３０は、光ファイバ１４１，１４２，１４３−１〜１４３−ｎに接続されている。光スプリッタ１３０は、光ファイバ１４１，１４２から入力した下り通信信号を、そのまま光ファイバ１４３−１〜１４３−ｎに送る。また、光スプリッタ１３０は、光ファイバ１４３−１〜１４３−ｎからそれぞれ入力した上り通信信号を時分割多重して、光ファイバ１４１，１４２に送る。下り通信信号と上り通信信号とでは、異なる波長が使用される。
【００３６】
光ファイバ１４１，１４２，１４３−１〜１４３−ｎとしては、例えば、通常の一芯光ファイバケーブル等を使用することができる。
【００３７】
次に、図１、図２に示したシステム１００の伝送路遅延時間を測定する方法について、図３を用いて説明する。ここでは、ＰＯＮインタフェース１１１が現用系であり、ＰＯＮインタフェース１１２が予備系である場合を例に採って説明する。また、ＯＮＵ１２０−１を新設するために、該ＯＮＵ１２０−１の伝送路遅延時間を測定するものとする。
【００３８】
まず、ＰＯＮインタフェース１１１が、既設のＯＮＵ１２０−２〜１２０−ｎ（図３では示さず、図１参照）に対して、通常送信を停止させる。
【００３９】
次に、チェッカー２０３は、現用系ＰＯＮインタフェース１１１の信号発生器２０２に、レンジング信号Ｓｒを、電気信号として生成させる。このレンジング信号Ｓｒには、宛先がＯＮＵ１２０−１であることを示す宛先情報が格納されている。チェッカー２０３は、レンジング信号Ｓｒの生成時刻ｔ０をタイマー２０１から読み出して、記憶する。このレンジング信号Ｓｒは、電気／光変換器１１１ａで光信号に変換されて、光ファイバ１４１に送信される。
【００４０】
レンジング信号Ｓｒは、光ファイバ１４１を介して、光スプリッタ１３０に達する。光スプリッタ１３０は、受信したレンジング信号Ｓｒを、すべてのＯＮＵ１２０−１〜１２０−ｎに送信する。
【００４１】
ＯＮＵ１２０−１〜１２０−ｎにおいて、光／電気変換器１２１は、受信したレンジング信号Ｓｒを電気信号に変換する。さらにＰＯＮ処理部１２３は、レンジング信号Ｓｒから、宛先情報を読み出す。非測定対象のＯＮＵ１２０−２〜１２０−ｎでは、ＰＯＮ処理部１２３が、レンジング信号Ｓｒを、自己宛でないと判断して廃棄する。一方、測定対象のＯＮＵ１２０−１では、ＰＯＮ処理部１２３が、レンジング信号Ｓｒを、自己宛であると判断してそのまま電気／光変換器１２２に転送する。電気／光変換器１２２は、このレンジング信号Ｓｒを光信号に変換して、光ファイバ１４３−１に返送する。レンジング信号Ｓｒは、光ファイバ１４３−１を通過して、光スプリッタ１３０に受信される。光スプリッタ１３０は、このレンジング信号Ｓｒを、光ファイバ１４１，１４２の両方に送信する。
【００４２】
現用系ＰＯＮインタフェース１１１の光／電気変換器１１１ｂは、光ファイバ１４１からレンジング信号Ｓｒを受信して、電気信号に変換する。
【００４３】
一方、予備系のＰＯＮインタフェース１１２の光／電気変換器１１２ｂは、光ファイバ１４２からレンジング信号Ｓｒを受信して、電気信号に変換する。
【００４４】
チェッカー２０３は、光／電気変換器１１１ｂ，１１２ｂからレンジング信号Ｓｒを受信するとともに、このときの時刻ｔ１，ｔ２をタイマー２０１からそれぞれ読み出して記憶する。
【００４５】
続いて、現用系ＰＯＮインタフェース１１１は、ＯＮＵ１２０−２〜１２０−ｎに通常送信を再開させ、さらにＯＮＵ１２０−１の通常送信を開始させる。
【００４６】
その後、チェッカー２０３は、測定時刻ｔ０，ｔ１，ｔ２を用い、以下のようにして伝送路遅延時間を測定する。
【００４７】
信号発生器２０２がレンジング信号Ｓｒを生成した時刻ｔ０から、現用系の光／電気変換器１１１ｂからのレンジング信号Ｓｒがチェッカー２０３に受信された時刻ｔ１までの経過時間をＴｒｅｎ（１）とすると、該Ｔｒｅｎ（１）は下式（１）で与えられる。式（１）において、ＴｉＳ１は、信号発生器２０２がレンジング信号Ｓｒを生成した時刻からＰＯＮインタフェース１１１がレンジング信号Ｓｒを送信した時刻までの遅延時間である。また、Ｔｐｄ＿ｄｗｎ＿ｗは、ＰＯＮインタフェース１１１がレンジング信号Ｓｒを送信した時刻からＯＮＵ１２０−１がレンジング信号Ｓｒを受信した時刻までの遅延時間である。ＴｉＯ１は、ＯＮＵ１２０−１がレンジング信号Ｓｒを受信した時刻からＰＯＮ処理部１２３がレンジング信号Ｓｒを受信した時刻までの遅延時間である。Ｔｓｄは、ＰＯＮ処理部１２３がレンジング信号Ｓｒを受信した時刻から該ＰＯＮ処理部１２３がレンジング信号Ｓｒを送信した時刻までの遅延時間である。ＴｉＯ２は、ＰＯＮ処理部１２３がレンジング信号Ｓｒを送信した時刻からＯＮＵ１２０−１がレンジング信号Ｓｒを送信した時刻までの遅延時間である。Ｔｐｄ＿ｕｐ＿ｗは、ＯＮＵ１２０−１がレンジング信号Ｓｒを送信した時刻から現用系ＰＯＮインタフェース１１１がレンジング信号Ｓｒを受信した時刻までの遅延時間である。ＴｉＳ２＿ｗは、現用系ＰＯＮインタフェース１１１がレンジング信号Ｓｒを受信した時刻からチェッカー２０３がレンジング信号Ｓｒを受信した時刻までの遅延時間である。
【００４８】
Ｔｒｅｎ（１）＝ＴｉＳ１＋Ｔｐｄ＿ｄｗｎ＿ｗ＋ＴｉＯ１＋Ｔｓｄ
＋ＴｉＯ２＋Ｔｐｄ＿ｕｐ＿ｗ＋ＴｉＳ２＿ｗ      ・・・（１）
【００４９】
ここで、Ｔｐｄ＿ｄｗｎ＿ｗとＴｐｄ＿ｕｐ＿ｗとは、同じ光ファイバ１４１，１４３−１を通過するので、同じ値になる。したがって、Ｔｐｄ＿ｄｗｎ＿ｗおよびＴｐｄ＿ｕｐ＿ｗをＴｐｄ＿ｗに置き換えると、式（１）は以下のように変形できる。
【００５０】
Ｔｐｄ＿ｗ＝｛Ｔｒｅｎ（１）
−（ＴｉＳ１＋ＴｉＯ１＋Ｔｓｄ＋ＴｉＯ２＋ＴｉＳ２＿ｗ）｝／２
【００５１】
また、ＴｉＳ１，ＴｉＯ１，Ｔｓｄ，ＴｉＯ２，ＴｉＳ２＿ｗは、それぞれ同一装置内の遅延時間なので、個別に測定することができる。
【００５２】
したがって、この実施形態に係る方法でＴｒｅｎ（１）を測定することにより、伝送路遅延時間Ｔｐｄ＿ｗを算出することが可能である。
【００５３】
一方、信号発生器２０２がレンジング信号Ｓｒを生成した時刻ｔ０から、予備系の光／電気変換器１１２ｂからのレンジング信号Ｓｒがチェッカー２０３に受信された時刻ｔ２までの経過時間をＴｒｅｎ（２）とすると、該Ｔｒｅｎ（２）は下式（２）で与えられる。
【００５４】
Ｔｒｅｎ（２）＝ＴｉＳ１＋Ｔｐｄ＿ｄｗｎ＿ｗ＋ＴｉＯ１＋Ｔｓｄ
＋ＴｉＯ２＋Ｔｐｄ＿ｕｐ＿ｐ＋ＴｉＳ２＿ｐ      ・・・（２）
【００５５】
ここで、Ｔｐｄ＿ｄｗｎ＿ｗは、上述したように現用系の伝送路遅延時間Ｔｐｄ＿ｗである。したがって、Ｔｐｄ＿ｕｐ＿ｐを現用系の伝送路遅延時間Ｔｐｄ＿ｐと置き換えると、式（２）は以下のように変形できる。
【００５６】
Ｔｐｄ＿ｐ＝Ｔｒｅｎ（２）
−（ＴｉＳ１＋ＴｉＯ１＋Ｔｓｄ＋ＴｉＯ２＋ＴｉＳ２＿ｗ）
−Ｔｐｄ＿ｗ
【００５７】
したがって、この実施形態に係る方法でＴｒｅｎ（２）を測定することにより、伝送路遅延時間Ｔｐｄ＿ｐを算出することが可能である。
【００５８】
以上説明したように、この実施形態に係る冗長型ＰＯＮシステム１００では、現用系の伝送路遅延時間測定と予備系の伝送路遅延時間測定とを同時に行うことができる。したがって、該測定に伴う既設ＯＮＵ１２０−２〜１２０−ｎの送信停止時間を短縮することが可能である。このため、伝送路遅延時間を測定している間既存加入者へのサービスを停止する場合（図８（Ａ）参照）には、この実施形態により、サービス停止時間を短時間に抑えることができる。また、ＯＮＵに出力バッファを設けてサービス停止を回避する場合（図８（Ｂ）参照）には、この実施形態により、かかる出力バッファの容量を低減することができる。
【００５９】
なお、上述のように、この実施形態では共通部１１３，１１４を冗長構成としたが、該共通部を冗長構成としないシステムにもこの発明を適用することができる。
【図面の簡単な説明】
【００６０】
【図１】この発明の実施の形態に係る光アクセスネットワークシステムの概略構成を示す概念図である。
【図２】この発明の実施の形態に係る光アクセスネットワークシステムの概略構成を示す概念図である。
【図３】この発明の実施の形態に係る伝送路遅延時間測定方法を説明するための概念図である。
【図４】従来の光アクセスネットワークシステムの構成例を示す概念図である。
【図５】従来の冗長型光アクセスネットワークシステムの構成例を示す概念図である。
【図６】従来の伝送路遅延時間測定方法を説明するための図であり、（Ａ）は概念図、（Ｂ）はタイミング図である。
【図７】従来の伝送路遅延時間測定方法を説明するための概念図である。
【図８】（Ａ）、（Ｂ）ともに従来の伝送路遅延時間測定方法を説明するためのタイミング図である。
【符号の説明】
【００６１】
１００  ＰＯＮシステム
１１０  ＯＬＴ
１１１，１１２  ＰＯＮインタフェース
１１１ａ，１１２ａ，１２２  電気／光変換器
１１１ｂ，１１２ｂ，１２１  光／電気変換器
１１１ｃ，１１２ｃ，１１３ａ，１１４ａ  セレクタ
１１１ｄ，１１２ｄ，１２３  ＰＯＮ処理部
１１３，１１４  共通部
１２０−１〜１２０−ｎ  ＯＮＵ
１３０  光スプリッタ
１４１，１４２，１４３−１〜１４３−ｎ  光ファイバ
２０１  タイマー
２０２  信号発生器
２０３  チェッカー
【図１】
2009232008.tif 000003
【図２】
2009232008.tif 000004
【図３】
2009232008.tif 000005
【図４】
2009232008.tif 000006
【図５】
2009232008.tif 000007
【図６】
2009232008.tif 000008
【図７】
2009232008.tif 000009
【図８】
2009232008.tif 000010